(57)【要約】【課題】ワン切りによる悪戯電話の着信通知は使用者に認知されないようにし、且つ、通常の電話の着信通知は使用者が認知できるようにした通信機器を提供する。【解決手段】着信開始と着信終了を検知する着信判定手段２と、着信を通知する着信通知手段４と、着信時の時間経過を測定する時間測定手段３とを有し、予め設定された着信通知変化情報に基づき、測定された前記時間経過に応じて着信通知手段４を切り替える制御手段５を備えた構成とする。【選択図】      図１
2004186937.tif 000002
【特許請求の範囲】
【請求項１】
着信開始と着信終了を検知する着信判定手段と、着信を通知する着信通知手段と、着信時の時間経過を測定する時間測定手段とを有し、
予め設定された着信通知変化情報に基づき、測定された前記時間経過に応じて前記着信通知手段を切り替える制御手段を備えたことを特徴とする通信機器。
【請求項２】
予め登録された電話番号を発信者番号とする着信があったときに、該電話番号に対応して設定された前記着信通知変化情報に基づき、前記着信通知手段を切り替えるようにしたことを特徴とする請求項１に記載の通信機器。
【請求項３】
使用者のスケジュールに合わせてその利用環境に対応する前記着信通知変化情報を予め設定可能としたことを特徴とする請求項１又は請求項２に記載の通信機器。
【発明の詳細な説明】
【０００１】
【発明の属する技術分野】
本発明は、携帯電話等の回線に接続される通信機器に関するものである。
【０００２】
【従来の技術】
従来より、このような携帯電話等の回線に接続される通信機器においては、通常、外部からの着信が発生したことを使用者に通知する着信通知手段が備えられている。例えば、携帯電話の着信通知手段としては、鳴音，振動，発光，表示，及びそれらの組み合わせが主流となっており、使用者は携帯電話を使用する環境に合わせて、都合の良い着信通知手段を手動で選択することができる。
【０００３】
また、手動による着信通知手段の切り替え忘れを防止するため、使用者のスケジュールを予め入力し、着信発生時にはそのスケジュールに対応した通知手段を自動的に切り替える方式が提案されている（例えば、特許文献１参照）。さらに、発信者番号を取得することが可能な通信機器において、使用者が着信に応答することなく発信者を識別できるように、発信者番号に基づいて着信通知手段を自動的に切り替える方式が提案されている（例えば、特許文献２参照）。
【０００４】
【特許文献１】
特開２００１−１８９７７４号公報
【特許文献２】
特開平８−２６５４１３号公報
【０００５】
【発明が解決しようとする課題】
しかしながら、近年、携帯電話を極僅かの間着信状態にし、着信情報として電話番号を記録に残すいわゆる「ワン切り」を行い、その着信情報を認識した使用者がその着信番号にかけなおすことを期待するといった、悪質な悪戯電話が横行している。さらにはセールスにも頻繁に利用され、社会問題となっている。ワン切りによる着信は、使用者にとって歓迎されない着信であり、このような着信に対しては、通常とは逆に、使用者に認知されないような着信通知手段で着信通知を行うことが望ましい。
【０００６】
ところが、携帯電話の使用者が、ワン切りによる悪戯電話がいつ行われるかを知ることは難しく、またそのような着信がなされる発信者番号を予め特定することも難しいので、上述したような従来技術では、ワン切りによる悪戯電話に対してのみ異なる着信通知手段を用いて、着信通知を行うといったことはできなかった。
【０００７】
本発明はこのような問題点に鑑み、ワン切りによる悪戯電話の着信通知は使用者に認知されないようにし、且つ、通常の電話の着信通知は使用者が認知できるようにした通信機器を提供することを目的とする。
【０００８】
【課題を解決するための手段】
上記目的を達成するために、本発明では、着信開始時から時間経過と共にどのように着信通知手段を切り替えるかを着信通知変化情報として使用者が予め設定しておき、着信開始時には制御手段がその着信通知変化情報を参照し、対応する着信変通知変化と同様の変化をするように着信通知手段を切り替えるよう構成している。
【０００９】
このような構成によれば、ワン切りによる悪戯電話では着信開始から終了までの時間が非常に短いことから、着信開始後数秒間は使用者が認知しにくい着信通知手段、例えば表示手段や発光手段による着信通知を行うか、或いは何も着信通知を行わないこととし、その後は通常の着信通知手段、例えば鳴音手段や振動手段による着信通知に切り替えることで、ワン切りによる着信通知が使用者に認知されないようにすることが可能となる。
【００１０】
また、予め登録された電話番号に関係する情報として着信通知変化情報を設定できるように構成することで、発信者毎に異なるパターンの着信通知変化を指定することが可能となる。これにより、発信者番号によってワン切りによる悪戯電話ではないと判断できる着信、例えば電話帳情報により発信者が識別されている着信や非通知による着信では、ワン切りを意識しない着信通知が可能となる。
【００１１】
さらに、使用者の各時間帯における利用環境のスケジュールと、各利用環境に対応する着信通知変化情報を事前に設定できるように構成することで、利用環境に合わせて着信通知手段を自動的に切り替えることが可能となる。
【００１２】
【発明の実施の形態】
以下、本発明の実施の形態について、図面を参照しながら説明する。なお、以下の記述において、通信機器の送受信等に関する周知の構成については説明を省略している。図１は、本発明の通信機器に係る一実施形態の構成を示すブロック図である。同図において、１は電話番号に関する様々な情報を記録するための電話帳情報登録手段、２は回線網に接続され着信開始と着信終了を検知する着信判定手段、３は任意の時間経過を知ることの出来る時間測定手段である。
【００１３】
また、４はこの通信機器に着信が発生したことを使用者に知らせる着信通知手段、５は電話帳情報登録等の処理及び、着信時における着信通知手段４の実行を制御する制御手段である。着信通知手段４としては、それぞれ４１〜４４で示すように、鳴音，振動，発光，表示の４種類が備えられている。また、電話帳情報登録手段１は、０，１，或いは複数の電話帳情報１１を持つことができる。
【００１４】
図２は、電話帳情報の構成を示す図である。同図に示すように、電話帳情報１１は、電話番号１１ａで区別され、電話番号１１ａの他に、例えば氏名等の電話番号に関する情報１１ｂ、着信通知変化情報１１ｃを持つ。
【００１５】
図３は、着信通知変化情報の内容の一例を示す図である。着信通知変化情報１１ｃは、着信通知時間と着信通知手段の組を１つの要素とする１つ以上の系列であり、着信開始時から時間経過に応じてどのように着信通知手段を切り替えるかが記述されている。なお、着信通知時間が“−”で記述されている時は、着信終了まで対応する着信通知手段で着信通知を行うことを意味する。
【００１６】
同図では、着信開始から２秒の間は（使用者が認知しにくい）表示と発光による着信通知を行い、その後８秒間は表示と鳴音による着信通知を行い、更にその後は着信終了を検知するまで表示と振動による着信通知を行うということを表している。着信終了を検知すれば、着信変化情報の内容に関わらず、即座に着信通知を止めることになる。その他、例えば着信開始後数秒間は何も着信通知を行わないようにしても良い。
【００１７】
次に、上記のように構成された通信機器で着信が発生した時の動作について説明する。図４は、着信が発生した時の動作の処理手順を示すフローチャートである。同図において、上記着信判定手段２が着信開始を検知すると、まず、ステップＳ１において、その着信に対して時間に応じて着信通知を変化させるか否かを判定する。
【００１８】
この判定は、着信した電話番号（発信者番号）が、電話帳情報登録手段１に登録された電話番号１１ａの内で、着信通知変化情報１１ｃが設定されている電話番号と一致しているかどうか比較することで行う。この判定の結果、着信通知変化情報１１ｃが設定されている電話番号１１ａと一致していなければ、ステップＳ６に移行し、予め定められているデフォルト着信通知手段による着信通知を、着信終了まで行う。
【００１９】
一方、この判定の結果、着信通知変化情報１１ｃが設定されている電話番号１１ａと一致していれば、ステップＳ２に移行し、着信通知変化情報１１ｃを参照して、或る所定の着信通知手段Ｉと着信通知時間Ｔを得る。そして、ステップＳ３に移行し、「Ｔ≠“−”」か否か、即ち時間経過に応じて着信通知手段Ｉを切り替えるか否かの判定を行う。この判定の結果が偽であるなら、ステップＳ７に移行し、この着信通知手段Ｉによる着信通知を着信終了まで行う。
【００２０】
一方、この判定の結果が真であるなら、ステップＳ４に移行し、時間測定手段３に対して、着信通知時間Ｔの経過を計るよう指示を出し、着信通知時間Ｔが経過するまで、着信通知手段Ｉによる着信通知を行う。その後、ステップＳ５に移行し、時間測定手段３が着信通知時間Ｔの経過を検知すれば、ステップＳ２に戻り、次の着信通知手段Ｉと着信通知時間Ｔを得るために、着信通知変化情報１１ｃを参照する。
【００２１】
以上のようにして、予め登録した着信通知変化情報に基づいて着信通知手段を変化させ、着信開始から数秒間の着信通知手段を切り替えることができるので、ワン切りによる電話の着信通知を使用者が気づかないようにすることが可能となる。なお、本発明は上述した実施形態に限定されるものではなく、本発明の要旨を逸脱しない範囲で、上述した実施形態に様々な変形を施すことができる。
【００２２】
例えば、使用者の各時間帯における利用環境のスケジュールと、各利用環境に対応する着信通知変化情報を事前に設定できるように構成することで、利用環境に合わせて着信通知手段を自動的に切り替えることが可能となる。
【００２３】
【発明の効果】
以上説明したように、本発明によれば、ワン切りによる悪戯電話の着信通知は使用者に認知されないようにし、且つ、通常の電話の着信通知は使用者が認知できるようにした通信機器を提供することができる。
【００２４】
具体的には、予め登録した着信通知変化情報に基づき、時間経過に応じて着信通知手段を切り替えることにより、ワン切りによる悪戯電話の着信通知を使用者が気づかないように設定することが可能となる。これにより、使用者はワン切りによる悪戯電話の着信に煩わされることがなくなる。
【００２５】
また、着信通知の組み合わせを、時間帯を考慮して設定できるため、多様化する昨今の携帯電話の利用環境に合わせて、より多彩な着信通知の仕方を設定することが可能となる。
【図面の簡単な説明】
【図１】本発明の通信機器に係る一実施形態の構成を示すブロック図。
【図２】電話帳情報の構成の一例を示す図。
【図３】着信通知変化情報の内容の一例を示す図。
【図４】着信が発生した時の動作の処理手順を示すフローチャート。
【符号の説明】
１    電話帳情報登録手段
２    着信判定手段
３    時間測定手段
４    着信通知手段
５    制御手段
【図１】
2004186937.tif 000003
【図２】
2004186937.tif 000004
【図３】
2004186937.tif 000005
【図４】
2004186937.tif 000006